(57)【特許請求の範囲】
【請求項１】
データを保持するカードにデータの読取または書込のいずれかの処理を行うカード処理部と、
前記カード処理部を収納する筐体と、
前記筐体へのカードの挿入を受け付け、前記カード処理部が前記処理を可能な位置にカードを迎えるカード挿入口と、
前記カード挿入口へのカードの挿入方向に略平行な案内面を有し、前記カード挿入口の前記挿入方向上流側に配されてカードを案内するカード案内部と、
前記カード案内部に設けられてカードの静電気を非接触で除去する除電部材と、
を備え、
前記カード案内部は、前記案内面内に、前記除電部材の厚さよりも深く形成された窪みを有し、
前記除電部材は、前記窪み内に配されている
カード処理装置。
【請求項２】
前記筐体の外面のうち操作者が触れる位置に、接触物の静電気を除去する第二除電部材をさらに備える
ことを特徴とする請求項１に記載のカード処理装置。
【請求項３】
前記第二除電部材は、前記筐体の底面に設けられている
ことを特徴とする請求項２に記載のカード処理装置。
【請求項４】
データを保持するカードにデータの読取または書込のいずれかの処理を行うカード処理部と、
前記カード処理部を収納する筐体と、
前記筐体へのカードの挿入を受け付け、前記カード処理部が前記処理を可能な位置にカードを迎えるカード挿入口と、
前記カード挿入口へのカードの挿入方向に略平行な案内面を有し、前記カード挿入口の前記挿入方向上流側に配されてカードを案内するカード案内部と、
前記カード案内部に設けられてカードの静電気を非接触で除去する除電部材と、
前記筐体の外面のうち操作者が触れる位置に、接触物の静電気を除去する第二除電部材と、
を備えるカード処理装置。
【請求項５】
前記第二除電部材は、前記筐体の底面に設けられている
ことを特徴とする請求項４に記載のカード処理装置。
【請求項６】
データを保持するカードにデータの読取または書込のいずれかの処理を行うカード処理部と、前記カード処理部を収納する筐体と、前記筐体へのカードの挿入を受け付け、前記カード処理部が前記処理を可能な位置にカードを迎えるカード挿入口と、を備えるカード処理装置に取り付け可能であって、
前記カード挿入口へのカードの挿入方向に略平行な案内面を備え、前記カード挿入口の前記挿入方向上流側に配されるカード案内部と、
前記カード案内部に設けられてカードの静電気を非接触で除去する除電部材と、
を備え、
前記カード案内部は、前記案内面内に、前記除電部材の厚さよりも深く形成された窪みを有し、
前記除電部材は、前記窪み内に配されている
カード案内パーツ。
【発明の詳細な説明】
【技術分野】
【０００１】
本発明の実施形態は、カード処理装置およびカード案内パーツに関する。
【背景技術】
【０００２】
現金の代わりに決済手段として機能する各種カード（クレジットカード、デビットカード決済に用いられるキャッシュカード、電子マネーを具備するＩＣカード等）による決済が、広く利用されている。各種カードによる決済時、カード保有者である顧客が暗証番号を入力するピン（PIN：Personal  Identification  Number）パッド装置やカードリーダライタなどのカード処理装置が用いられている。カード処理装置は、ＩＣ（Integrated  Circuit）カードなどのデータを保持するカードに、データの読取や書込の処理を行う。カード処理装置の筐体内には、カードリーダ／ライタなどの電子部品が収納されている。
【０００３】
一般に、このようなカードは合成樹脂により形成されており、静電気を帯びやすい。カード処理装置のうち、筐体にカードを挿入して用いるものは、カードが帯電している場合に、カードの静電気が筐体内のカードリーダ／ライタ等の電子部品に悪影響を及ぼすおそれがある。
【発明の概要】
【発明が解決しようとする課題】
【０００４】
本発明が解決しようとする課題は、筐体に挿入するカードの静電気を除去することができるカード処理装置およびカード案内パーツを提供することである。
【課題を解決するための手段】
【０００５】
実施形態のカード処理装置は、カード処理部と、筐体と、カード挿入口と、カード案内部と、除電部材と、を備える。カード処理部は、データを保持するカードにデータの読取または書込のいずれかの処理を行う。筐体は、前記カード処理部を収納する。カード挿入口は、前記筐体へのカードの挿入を受け付け、前記カード処理部が前記処理を可能な位置にカードを迎える。カード案内部は、前記カード挿入口へのカードの挿入方向に略平行な案内面を有し、前記カード挿入口の前記挿入方向上流側に配されてカードを案内する。除電部材は、前記カード案内部に設けられてカードの静電気を非接触で除去する。さらに、前記カード案内部は、前記案内面内に、前記除電部材の厚さよりも深く形成された窪みを有し、前記除電部材は、前記窪み内に配されている。
【図面の簡単な説明】
【０００６】
【図１】図１は、実施形態のピンパッド装置の外観を示す正面側から見た斜視図である。
【図２】図２は、実施形態のピンパッド装置の外観を示す背面側から見た斜視図である。
【図３】図３は、実施形態のピンパッド装置の外観を示す平面図である。
【図４】図４は、実施形態のピンパッド装置の外観を示す図３の右側面図である。
【図５】図５は、図３の一部拡大図であって、実施形態のカード案内部の構造を一部断面で示す右側面図である。
【図６】図６は、実施形態のピンパッド装置の外観を示す底面図である。
【発明を実施するための形態】
【０００７】
カード処理装置の実施形態について、ピンパッド装置を例に、図面を用いて説明する。以下、カードはＩＣカードを例として説明する。カードによる電子決済は、ピンパッド装置を決済端末に接続させて実行する。ピンパッド装置は、番号入力を行うための入力装置であって、ＩＣカードに搭載されているＩＣチップに対するデータの読み書きを実行するＩＣカードリーダライタを備えるものである。以下、ピンパッドを決済端末に接続したものを決済端末システムと称する。ＩＣカードがクレジットカードである場合、ピンパッド装置は、電子決算に際して、ＩＣカードからクレジットカード番号等のカードデータを読み取ったり、暗証番号の入力を受け付けたりする。
【０００８】
そして、決済端末システムでは、入力された暗証番号の認証、読み取ったカードデータに基づく問合せ情報の作成、決済機関コンピュータへの問合せ情報の送信が実行される。決済機関コンピュータでは、信用照会が行われ、問合せに対する承認応答を返信する。決済端末システムでは、承認応答を受信すると、決済処理が実行される。
【０００９】
決済端末は、マイクロコンピュータを内蔵し、このマイクロコンピュータが、キーボード、ディスプレイ、プリンタ、磁気カードリーダ等の各部をバスラインと各種制御回路とを介して駆動制御する。このようなマイクロコンピュータは、ＣＰＵに、バスラインを介して、コンピュータプログラム（起動プログラムや制御プログラム）等の固定的データを格納するＲＯＭと各種データを書き換え自在に格納するＲＡＭとを接続することにより構成される。
【００１０】
マイクロコンピュータには、バスラインを介して、通信インターフェース、不揮発性メモリ、および、ピンパッド接続インターフェースが接続される。通信インターフェースは、通信回線である公衆回線網、ＣＡＦＩＳ（Credit  And  Finance  Information  Switching  System）等の中継センターを介して、クレジット会社や銀行等が備える決済機関コンピュータに接続され、決済機関コンピュータとの間でデータ通信を行う。不揮発性メモリは、データを書き換え自在に記憶するメモリであり、各種コンピュータプログラムや各種ファイル等が格納されている。
【００１１】
ピンパッド接続インターフェースの規格は、一例として、ＵＳＢ（Universal  Serial  Bus）である。したがって、ケーブル３は、データ通信のための信号ケーブルとして設計され、決済端末からの制御信号はケーブル３を介してピンパッド装置１のマイクロコンピュータに入力される。そして、ケーブル３は、その一方でピンパッド装置１の駆動用の電源をピンパッド装置１に供給する。つまり、外部電源から電力が決済端末に供給されて決済端末が駆動し、さらに、ケーブル３によって電力がピンパッド装置１に供給されてピンパッド装置１が駆動する。
【００１２】
図１は、ピンパッド装置１の外観を示す正面側から見た斜視図であり、図２は、背面側から見た斜視図であり、図３は、平面図であり、図４は、図３の右側面図である。
【００１３】
ピンパッド装置１は、筐体２、ケーブル３、操作部４、表示部５、カード挿入口６、カード案内部７、除電部材８、第二除電部材９、および目隠しカバー１０を備えている。
【００１４】
筐体２は、薄い箱型で、プリント基板などの電子部品を収納している。筐体２に収納された電子部品は、カード処理部（不図示）である。カード処理部は、ＩＣカードなどのデータを保持するカードに、少なくともデータの読取または書込のいずれかの処理を行う。
【００１５】
筐体２は、底面２ａの奥側から突出した脚部２１を有している。脚部２１は、ピンパッド装置１を卓上に置いたときに筐体２の底面２ａの手前側の辺とともに卓に接して、筐体２の上面２ｂを正面側へ傾ける。ケーブル３は、脚部２１の背面側に設けられている。ケーブル３は、ピンパッド装置１への電力供給や、他装置とのデータ授受を行う。
【００１６】
操作部４は、筐体２の上面２ｂの手前側に設けられている。また、操作部４は、０〜９の置数キーを含む複数のキーを備えている。表示部５は、筐体２の上面２ｂの奥側に設けられている。また、表示部５は、例えば液晶パネルなどで実現され、操作者への操作案内や、操作者の操作内容などを表示する。
【００１７】
カード挿入口６は、筐体２の背面２ｃに設けられている。また、カード挿入口６は、筐体２へのカードの挿入を受け付け、カード処理部が処理を可能な位置にカードを迎える。
【００１８】
目隠しカバー１０は、顧客が暗証番号を入力する際、第三者から暗証番号を見られないようにする。目隠しカバー１０は、顧客が暗証番号を入力する面側（図１の手前側）以外で、操作部４の周辺を囲うよう構成される。
【００１９】
筐体２は、小案内部２２を備えている。小案内部２２は、筐体２に一体成形されている。この小案内部２２は、カード挿入口６の下縁を奥側へ円弧状に突出させた形状である。言い換えると、小案内部２２は、上面がカード挿入口６の下縁に連続する平面になっている。
【００２０】
ここで、図５は、図３のＡ−Ａで切断した一部拡大図であって、カード案内部７の構造を一部断面で示す右側面図である。カード案内部７は、カード挿入口６の挿入方向上流側に配されている。
【００２１】
カード案内部７は、カード挿入口６へのカードの挿入方向に略平行な案内面７ａを有している。案内面７ａは、操作者がカードを容易にカード挿入口６に挿入できるようにするためのもので、小案内部２２の表面と略同じ高さに位置する。つまり、カード案内部７は、小案内部２２を延長する。このようなカード案内部７は、案内面７ａの下面手前側から小案内部２２の下面を経て筐体２の背面２ｃへと連なる取付片７１を有する。取付片７１は、小案内部２２の下面および筐体２の背面２ｃに貼付されて、案内面７ａを所定の位置に保持する。
【００２２】
そして、カード案内部７は、除電部材８の土台として機能する。カード案内部７と除電部材８とにより、カード案内パーツ１１が構成される。カード案内パーツ１１は、データを保持するカードにデータの読取または書込のいずれかの処理を行うカード処理部と、カード処理部を収納する筐体２と、筐体２へのカードの挿入を受け付け、カード処理部が処理を可能な位置にカードを迎えるカード挿入口６と、を備えるピンパッド装置１に取り付け可能である。カード案内パーツ１１は、カード挿入口６へのカードの挿入方向に略平行な案内面７ａを備え、カード挿入口６の挿入方向上流側に配されるカード案内部７と、カード案内部７に設けられてカードの静電気を非接触で除去する除電部材８と、を備える。
【００２３】
除電部材８は、近接物であるカードが帯びた静電気を非接触で除去するシート状の部材であって、カード案内部７に設けられる。詳細には、除電部材８は、案内面７ａ内に配される。より詳細には、除電部材８は、案内面７ａ内に除電部材８の厚さよりも深く形成された窪み７２内に配される。これにより、除電部材８の表面は、案内面７ａよりも下がった位置に位置し、案内面７ａ上を移動するカードから退避している。
【００２４】
図６は、ピンパッド装置１の外観を示す底面図である。第二除電部材９は、接触物の静電気を除去するシート状の部材であって、筐体２の外面のうち操作者が触れる位置（例えば底面２ａ）に設けられている。
【００２５】
このような構成において、ピンパッド装置１は、カード挿入口６に挿入されたクレジットカードの暗証番号照会などに用いられる。操作者が、暗証番号を操作部４から入力すると、表示部５が入力文字分の記号などを表示する。
【００２６】
カード挿入口６にカードが挿入される際、カードは、除電部材８に近接する。その際、除電部材８は、カード表面の静電気を除去する。また、カード挿入などの操作を行う操作者が、ピンパッド装置１を持ち上げるなどする際、筐体２の底面２ａに貼付された第二除電部材９に触れると、操作者の静電気が除去される。
【００２７】
このように、本実施形態によれば、カード挿入口６にカードが挿入される前に、カード表面の静電気を除電部材８が除去する。これにより、カードの静電気が筐体２内の電子部品に悪影響を及ぼす不都合を回避することができる。
【００２８】
また、除電部材８は、カードに触れないよう設けられる。仮に、除電部材８がカードに触れる位置に設けられていると、カードに擦られた除電部材８が磨耗するとともに除電部材８から塵が生じる。この塵が筐体２内に入り込んで電子機器に付着すると誤作動を引き起こす原因となることがある。しかしながら、本実施形態によれば、除電部材８にカードが触れないので、カードに擦られた除電部材８が磨耗するとともに除電部材８から塵が生じるといった不具合を起こすことがない。
【００２９】
さらに、本実施形態によれば、カード挿入口６にカードが挿入される前に、操作者が帯びている静電気を第二除電部材９が除去する。これにより、操作者の静電気がカードを帯電させることを防止できる。
【００３０】
なお、本実施形態では、小案内部２２とカード案内部７とを別に設けているが、実施にあたっては、カード案内部７に小案内部２２を一体に設けてよく、あるいは、カード案内部７を筐体２と一体にしてもよい。
【００３１】
また上述では、第二除電部材９は、筐体２の外面のうち操作者が触れる位置として底面２ａに設けられていると説明しているが、図６に示すように底面２ａ全体に第二除電部材９を設けるような構成に限定されない。例えば、底面２ａ全体ではなく、底面２ａの一部や、底面２ａの複数ヶ所に第二除電部材９を備えるようにしても良い。さらに、第二除電部材９をピンパッド装置１の側面や、側面と底面のどちらにも備えるようにしても良い。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
１…ピンパッド装置、
２…筐体、２ａ…底面、２ｂ…上面、２ｃ…背面、２１…脚部、２２…小案内部、
３…ケーブル、
４…操作部、
５…表示部、
６…カード挿入口、
７…カード案内部、７ａ…案内面、７１…取付片、７２…窪み、
８…除電部材、
９…第二除電部材、
１０…目隠しカバー、
１１…カード案内パーツ。
【先行技術文献】
【特許文献】
【００３４】
【特許文献１】特開２００３−３１７０４５号公報
【図１】
0005889853.tif 000002
【図２】
0005889853.tif 000003
【図３】
0005889853.tif 000004
【図４】
0005889853.tif 000005
【図５】
0005889853.tif 000006
【図６】
0005889853.tif 000007